(57)【要約】【課題】軟弱地盤又は不等沈下調整建築物の補修工事等による杭の打設において、地表から数メ−トル以上の深さにオ−ガ−ではあけられない障害物又は硬質土部の中間支持層があっても杭芯をずらさず打ち込み貫通させて支持層まで打設することができる、杭の先端に取付ける掘削装置を提供する。【解決手段】任意長さのＨ型鋼１のウェブ１ｂに適宜切欠１ｃを形成したＨ型鋼１と、このＨ型鋼１に対照的に形成される羽根２Ａ，２Ｂと、杭の先端を取付けられる任意形態の固定台３とで、杭の先端に取付ける掘削装置Ｐを構成する。【選択図】図１
2005290951.tif 000002
【特許請求の範囲】
【請求項１】
任意長さのＨ型鋼１のウェブ１ｂに適宜切欠１ｃを形成したＨ型鋼１と、このＨ型鋼１に対照的に形成される羽根２Ａ，２Ｂと、杭の先端を取付けられる任意形態の固定台３とで構成したことを特徴とする杭の先端を取付ける掘削装置。
【発明の詳細な説明】
【技術分野】
【０００１】  本発明は、軟弱地盤又は不等沈下調整建築物の補修工事等の杭打工事において、地表から数メ−トル以上の深さにオ−ガ−ではあけられない障害物又は硬質土等中間支持層を打ち抜き貫通させることが出来ることを目的としたコンクリ−ト杭、鋼管杭の先端に取付けて用いる掘削装置に関するものである。
【背景技術】
【０００２】  従来より、木造住宅、鉄骨、鉄筋コンクリ−ト等の建築場所の、圧密沈下宅地造成、盛土宅地造成、埋め戻し宅地造成など造成地等、又は不等沈下調整建築物の補修工事における軟弱地盤においては、そもそも地表から数メ−トル以上の深さにオ−ガ−ではあけられない障害物又は硬質土部分等、いわゆる中間支持層が存在し、その下に泥炭層が存在し、その層より更に深いところに支持層が存在する、と一般的に考えられている。【０００３】  ところが、コンクリ−ト杭又は鋼管杭を打ち込んでも杭先端がその硬質土等の中間支持層に当たって、その中間支持層を打破することが出来なかった。パイルの直径が大きくなればなるほど杭が地中の障害物に当たった場合、杭を打ち込もうとする位置からずれることが多かった。この為、一般的には杭は上述の中間支持層に固定されているのが実情（図４参照）であった。
しかし、上述の地盤では地帯力が弱い為、例えば地震が起きた場合には、中間支持層が損傷する等して地盤沈下が発生したり、及び、それに伴い杭の支持力が損傷し建築物が傾いたりすることが実情である。
このことは杭の打設工事を施工する観点からしては、杭が上述の硬質土層等中間支持層を打破し且つその下方に存在する支持層にまで達しないことが、原因と推定することができる。【０００４】  また、杭の先端に掘削装置等のようなものを取付けた、この種の技術の公報では、回転式のものが多く、例えば後述の従来技術のようなラセン羽根をつけたようなものもあった。【０００５】
【特許文献１】    特開平１１−９３１６４号公報
【発明の開示】
【発明が解決しようとする課題】
【０００６】  本発明は、このような従来の背景を考察してなされたものであり、軟弱地盤又は不等沈下調整建築物の補修工事における、地表から数メ−トル以上の深さにある障害物又は硬質土部の中間支持層を杭芯をずらさずに打ち込めることを可能とし更に支持層まで打設することができる杭の先端に取付けて用いる掘削装置を提供することを課題とする。
【課題を解決するための手段】
【０００７】  本発明は、上記課題を解決するために、任意長さのＨ型鋼１のウェブ１ｂに適宜の角度を有して切欠１ｃを形成したＨ型鋼１と、このＨ型鋼１の適宜位置に角度を有し対照的に取付けた羽根２Ａ，２Ｂと、杭の先端を取付けられる任意形態の固定台３とを一体化して本体Ｐを構成したことを特徴とするものである。
【発明の効果】
【０００８】  本掘削装置によれば、Ｈ型鋼のウェブに切欠を有しているのでフランジ先端が硬質土地盤（中間支持層）に突き刺さり又は砕いて食い込みやすく、及び羽根が砕石等を掻き分けていく為、いわゆる地表から数メ−トル以上の深さに障害物又は中間支持層に硬質土部があっても杭芯をずらさずに強固に打ち込むことができ、中間支持層を貫通させて支持層まで打ち込むことができる。【０００９】  また、この本装置は支持層まで達した状態のまま杭と一体であるため、本掘削装置と杭と基礎と建築物土台等とを一体なものにするから支持力が極めて大きく、建築物を安定したた状態に保持することができる効果を奏するものである。【００１０】  従って、補修後においては、杭が中間支持層を突破して支持層に達しているため、例えば、地震等で地表等又は中間支持層等が不等沈下現象があったとしても、家自体は強固に水平状態を保持する可能性が大であるから、その後の補修費を相当に縮減することができるものである。
【発明を実施するための最良の形態】
【００１１】  以下、本発明の掘削装置の好適な実施の形態を説明する。
図１及び図２を参照して、１はＨ型鋼を適宜の長さにしたものである。１ａは、フランジである。１ｂは、ウェブであり、下部に適宜の角度に切欠１ｃを形成する。この切欠く角度は４５度が好ましい。【００１２】  ２（２Ａ，２Ｂ）は羽根であり、上述のＨ型鋼１に傾斜させて対照的に二箇所に取付ける。取付け角度は好ましくは４５度がよい。【００１３】  ３は固定台であり、上述のＨ型鋼１上端に固定する。この固定台３の形態は任意形態でよい。本実施例では、プレ−ト３ａ上に任意長さの鋼管３ｂを設けて固定台３としている。
この鋼管により、杭下部を、より強固に固定することができる。【００１４】  このように本装置Ｐは、任意長さのＨ型鋼１のウェブ１Ｂに適宜切欠１ｃを有するＨ型鋼１と、羽根２Ａ，２Ｂと、任意形態の固定台３とを一体化して構成する。【００１５】  次に、本装置Ｐを使用した場合には、固定台３に杭先端をセットしてから杭の打設が行われるが、図３を参照して、Ｈ型鋼１先端が硬質度部の中間支持層を貫通して支持層にまで達することができる。
この場合、地表から数メ−トル以上の深いところに、障害物があったり又は中間支持層が硬質であっても、Ｈ型鋼１先端とウェブ１ｂが切欠１ｃを有しているので、硬質層に強固に突き刺さり或いは砕き、及び、羽根２Ａ，２Ｂが傾斜してある為、その砕石又は障害物を掻き除くので中間支持層を貫通することが出来るものである。
そして、杭打設後は、そのまま本装置Ｐを埋め込むものである。【００１６】  又、その中間支持層がより強固な場合であっても、圧をかけて打ち込むと硬質中間層を打ち抜き支持層まで打ち込むことができる。【００１７】  また、（図４ａのように）圧密沈下宅地造成又は盛土宅地造成地等での家が不等沈下により、曳家土台調整する場合においては沈下調整が行われた後、杭が長すぎる場合には、杭を適宜の長さに切断して打ち込み圧入溶接してつなぎながら打ち込んで行っている状態を示すものであり、硬質中間層がより硬質の場合には、杭に徐々に圧をかけて打ち込んでいく。
そして、図４ｂのように、家が杭の圧入溶接による打設で水平状態に戻ったならば、杭打設後は、本装置Ｐをそのまま埋め込むものである。
尚、図中、矢印は杭を圧入溶接をし、つなぎながら抗打ちが行われていることを示す。【００１８】  更に、図５ａ，ｂのように、埋め戻し宅地造成地の場合の曳家土台補修工事の場合にも、図４で説明したと同様に施工される。
この場合において、支持層の状態により傾斜面になって杭の打ち込みの浅い方は、本装置が、その傾斜面に係らず突き刺さり支持層にしっかりと固定することができる。
尚、図中、矢印は前記図４と同様に杭を圧入溶接しながら打ち込んでいる状態を示す。
【実施例１】
【００１９】  以下、本装置Ｐの他の実施例を述べる。
固定台３において、上述の鋼管に代えて、角状に囲い４ｂを形成したものである。【００２０】  その他、杭の形状に適合させた形態の固定台とすることが可能である。
また、固定台を任意形状のプレ−トだけとすることも可能である。
【図面の簡単な説明】
【００２１】
【図１】  本装置の概略を示す斜視図である。
【図２】  本装置の断面図である。
【図３】  本装置が中間支持層を貫通して支持層に達することが出来ることを示す側面図である。
【図４】  （ａ），（ｂ）図は、圧密沈下宅地造成地又は盛土宅地造成地等での傾いた家を本装置を用いてパイルを打設し家を水平状態に戻したことを示す側面図である。
【図５】  （ａ），（ｂ）図は埋め戻し宅地造成地等での傾いた家を本装置を用いてパイルを打設し家を水平状態に戻したことを示す側面図である。
【図６】  本装置の他の実施の形態を示す斜視図である。
【図７】  従来のパイルの打設状態を示す側面図である。
【符号の説明】
【００２２】  Ｐ，２Ｐ…………………本装置
１…………………………Ｈ型鋼
１ａ………………………フランジ
１ｂ………………………ウェブ
１ｃ………………………切欠
２（２Ａ，２Ｂ）………羽根
３，４……………………固定台
３ａ………………………プレ−ト
３ｂ………………………鋼管
【図１】
2005290951.tif 000003
【図２】
2005290951.tif 000004
【図３】
2005290951.tif 000005
【図４】
2005290951.tif 000006
【図５】
2005290951.tif 000007
【図６】
2005290951.tif 000008
【図７】
2005290951.tif 000009